【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
それぞれ複数のノードを含む複数のトーラスと、
前記複数のトーラスの各々の少なくとも１つのノードに接続されたホストと、
を備え、
各ノードは、データトラフィックを送受信するように構成された計算装置であって、リンクによって同一トーラス内の１つ以上の他のノードに接続されており、
前記ホストは、
第１の基準を有するデータトラフィックを伝搬するために第１のトーラスを選択し、第２の基準を有するデータトラフィックを伝搬するために第２のトーラスを選択することと、
前記第１のデータトラフィックを、選択した第１のトーラス内のノードへ配送することであって、１つのトーラス内のノード間のデータトラフィックは、他のトーラス内のデータトラフィックと混ざらない、ことと、
前記ホストを前記第１のトーラスに接続する第１のノードから受信したデータトラフィックを、前記ホストを前記第２のトーラスに接続する第２のノードへ再配送することと、
を行うように構成されている、
並列トーラスネットワークインターコネクトシステム。
【請求項２】
前記並列トーラスネットワークインターコネクトシステム内の各トーラスは、三次元トーラスである、請求項１に記載の並列トーラスネットワークインターコネクトシステム。
【請求項３】
前記ホストは、前記第１及び前記第２のデータトラフィックの各々のサービス品質（ＱｏＳ）に基づいて、前記第１及び前記第２のトーラスを選択するように構成されている、請求項１に記載の並列トーラスネットワークインターコネクトシステム。
【請求項４】
前記ホストは、前記トーラスの何れかにおける輻輳に基づいて、前記第１及び前記第２のトーラスを選択するように構成されている、請求項１に記載の並列トーラスネットワークインターコネクトシステム。
【請求項５】
前記ホストは、前記第１及び前記第２のデータトラフィックのタイプに基づいて、前記第１及び前記第２のトーラスを選択するように構成されている、請求項１に記載の並列トーラスネットワークインターコネクトシステム。
【請求項６】
前記ホストは、前記第１及び前記第２のデータトラフィックに関連付けられたサービスクラス（ＣｏＳ）に基づいて、前記第１及び前記第２のトーラスを選択するように構成されている、請求項１に記載の並列トーラスネットワークインターコネクトシステム。
【請求項７】
前記ホストは、前記第１及び前記第２のデータトラフィック及び前記第１及び前記第２のトーラスの各々のセキュリティレベルに基づいて、前記第１及び前記第２のトーラスを選択するように構成されている、請求項１に記載の並列トーラスネットワークインターコネクトシステム。
【請求項８】
それぞれ複数のノードを含む複数のトーラスを有する並列トーラスネットワークインターコネクトシステムにおいて、データトラフィックを伝搬する方法であって、
前記複数のトーラスの各々の少なくとも１つのノードに接続されたホストにて、第１の基準を有する第１のデータトラフィックと、第２の基準を有する第２のデータトラフィックとを受信することと、
前記第１のデータトラフィックを受信するために、前記ホストによって第１のトーラス内のノードを選択し、前記第２のデータトラフィックを受信するために、前記ホストによって第２のトーラス内のノードを選択することと、
前記ホストによって、前記第１のデータトラフィックを、前記第１のトーラス内で選択したノードへ配送し、前記第２のデータトラフィックを、前記第２のトーラス内で選択したノードへ配送することであって、１つのトーラス内のノード間のデータトラフィックは、他のトーラス内のデータトラフィックと混ざらない、ことと、
前記ホストを前記第１のトーラスに接続する前記第１のトーラス内の前記ノードから受信したデータトラフィックを、前記ホストを前記第２のトーラスに接続する前記第２のトーラス内の前記ノードへ再配送することと、を備える、
方法。
【請求項９】
前記並列トーラスネットワークインターコネクト内の各トーラスは、三次元トーラスである、請求項８に記載の方法。
【請求項１０】
前記選択することは、前記第１及び前記第２のデータトラフィックの各々のサービス品質（ＱｏＳ）に基づいて、前記第１及び前記第２のノードを選択することを含む、請求項８に記載の方法。
【請求項１１】
前記選択することは、前記第１及び前記第２のデータトラフィックの各々のサービスクラス（ＣｏＳ）に基づいて、前記第１及び前記第２のノードを選択することを含む、請求項８に記載の方法。
【請求項１２】
前記選択することは、前記トーラスの何れかにおける輻輳に基づいて、前記第１及び前記第２のノードを選択することを含む、請求項８に記載の方法。
【請求項１３】
前記選択することは、前記第１及び前記第２のデータトラフィック及び前記第１及び前記第２のトーラスのセキュリティレベルに基づいて、前記第１及び前記第２のノードを選択するように構成されている、請求項８に記載の方法。
【請求項１４】
それぞれ複数のノードを含む複数のトーラスを有する並列トーラスネットワークインターコネクトシステムにおいてデータトラフィックを伝搬するように汎用コンピュータによって実行される命令セットを記憶するコンピュータ可読記憶媒体であって、
前記命令セットは、
前記複数のトーラスの各々の少なくとも１つのノードに接続されたホストにて、第１の基準を有する第１のデータトラフィックと、第２の基準を有する第２のデータトラフィックとを受信するための受信コードセグメントと、
前記第１のデータトラフィックを受信するために、前記ホストによって第１のトーラス内のノードを選択し、前記第２のデータトラフィックを受信するために、前記ホストによって第２のトーラス内のノードを選択するための選択コードセグメントと、
前記ホストによって、前記第１のデータトラフィックを、前記第１のトーラス内で選択したノードへ配送し、前記第２のデータトラフィックを、前記第２のトーラス内で選択したノードへ配送するための配送コードセグメントであって、１つのトーラス内のノード間のデータトラフィックは、他のトーラス内のデータトラフィックと混ざらない、配送コードセグメントと、
前記ホストを前記第１のトーラスに接続する前記第１のトーラス内の前記ノードから受信したデータトラフィックを、前記ホストを前記第２のトーラスに接続する前記第２のトーラス内の前記ノードへ再配送するための再配送コードセグメントと、を備える、
コンピュータ可読記憶媒体。
【請求項１５】
前記選択コードセグメントは、前記第１及び前記第２のデータトラフィックの各々のサービス品質に基づいて、前記各ノードを選択することを含む、請求項１４に記載のコンピュータ可読記憶媒体。
【請求項１６】
前記選択コードセグメントは、前記トーラスの何れかにおける輻輳に基づいて、前記各ノードを選択することを含む、請求項１４に記載のコンピュータ可読記憶媒体。
【請求項１７】
前記選択コードセグメントは、前記第１及び前記第２のデータトラフィックの各々のタイプに基づいて、前記各ノードを選択することを含む、請求項１４に記載のコンピュータ可読記憶媒体。
【請求項１８】
前記選択コードセグメントは、前記第１及び前記第２のデータトラフィックの各々に関連付けられたサービスクラス（ＣｏＳ）に基づいて、前記各ノードを選択することを含む、請求項１４に記載のコンピュータ可読記憶媒体。
【請求項１９】
前記選択コードセグメントは、前記第１及び前記第２のデータトラフィック及び前記第１及び前記第２のトーラスの各々のセキュリティレベルに基づいて、前記各ノードを選択することを含む、請求項１４に記載のコンピュータ可読記憶媒体。
【請求項２０】
前記命令セットは、装置の製造に用いられるハードウェア記述言語（ＨＤＬ）である、請求項１４に記載のコンピュータ可読記憶媒体。